(57)【要約】【課題】昇降コードにおける吊下げ部がブラインド本体や下桟から外れるのを可能な限り防止できるブラインドを提供すること。【解決手段】一端部が上桟１４に取り付けられ、ブラインド本体(スクリーン本体)１２の一方の面側から下桟１６の下方を経由し他方の面側において、懸架部材(滑車)２４に掛けられた昇降コード３０において滑車２４から引き出されたリード部３０Ｃが引っ張られることにより、昇降コード３０の前記一端部から滑車２４に至る吊下げ部３０Ａが短縮されて、回転されながら吊り上げられる下桟１６にスクリーン本体１２が巻回されて巻き上げられるロールアップ式のブラインド(ロールスクリーン)１０において、下桟１６の前記回転に対し空転するように下桟１６に取り付けられた本体部(バー)３６と、バー３６に設けられ、昇降コード３０における吊下げ部３０Ａが挿通された挿通部(挿通部材３８の大リング部３８Ｂ)とを含む規制手段３４を設けた。【選択図】図１
2015068029.tif 000002
【特許請求の範囲】
【請求項１】
方形をしたブラインド本体と、
前記ブラインド本体に、その上縁に沿って設けられた上桟と、
前記ブラインド本体に、その下縁に沿って設けられた下桟と、
前記上桟に取り付けられた一端部から前記ブラインド本体の一方の面側を下り、前記下桟の下方を経由して、前記ブラインド本体の他方の面側において上記上桟に設けられた懸架部材に掛けられた昇降コードと、
を有し、
前記昇降コードにおいて、前記懸架部材から引き出されたリード部が引っ張られることにより、前記一端部から前記懸架部材に至る吊下げ部が短縮されて、当該吊下げ部によって前記下桟が回転されながら吊り上げられ、当該下桟にブラインド本体が巻回されて巻き上げられるロールアップ式のブラインドであって、
前記下桟の前記回転に対し空転するように当該下桟に取り付けられた本体部と、
前記本体部に設けられ、前記昇降コードにおける前記吊下げ部が挿通された挿通部と、
を含み、
前記吊下げ部の前記下桟の長手方向への振れを規制する規制手段を備えたことを特徴とするブラインド。
【請求項２】
前記本体部は、前記下桟の一端部に取り付けられた端部から、前記吊下げ部に対応する位置まで延出された延出部を有し、
前記挿通部が前記延出部に設けられていることを特徴とする請求項１に記載のブラインド。
【請求項３】
前記延出部において前記挿通部が設定されている設定部位が、前記下桟よりも上方に在る状態を維持する維持手段を有することを特徴とする請求項２に記載のブラインド。
【請求項４】
前記維持手段は、前記ブラインド本体を間に挟んで前記延出部の前記設定部位の存する側とは反対側に在って、前記延出部に連結され、前記スクリーン本体の片面に当接する当接部材を有することを特徴とする請求項３に記載のブラインド。
【請求項５】
前記当接部材は、前記片面に対し、上下方向に転動するローラであることを特徴とする請求項４に記載のブラインド。
【請求項６】
前記当接部材と前記設定部位とが接近する方向に付勢する付勢部材によって、前記当接部と前記延出部とが連結されていることを特徴とする請求項４または５に記載のブラインド。
【請求項７】
前記下桟に巻回された前記スクリーン本体部分の径方向における、前記設定部位の前記下桟からの距離を調整し得る伸縮部が前記延出部に設けられていることを特徴とする請求項３〜６のいずれか１項に記載のブラインド。
【請求項８】
前記リード部の端部が、前記本体部に取着されていることを特徴とする請求項１〜７のいずれか１項に記載のブラインド。
【請求項９】
方形をしたブラインド本体と、
前記ブラインド本体に、その上縁に沿って設けられた上桟と、
前記ブラインド本体に、その下縁に沿って設けられた下桟と、
前記上桟に取り付けられた一端部から前記ブラインド本体の一方の面側を下り、前記下桟の下方を経由して、前記ブラインド本体の他方の面側において上記上桟に設けられた懸架部材に掛けられた昇降コードと、
を有し、
前記昇降コードにおいて、前記懸架部材から引き出されたリード部が引っ張られることにより、前記一端部から前記懸架部材に至る吊下げ部が短縮されて、当該吊下げ部によって前記下桟が回転されながら吊り上げられ、当該下桟にブラインド本体が巻回されて巻き上げられるロールアップ式のブラインドに装着されるアタッチメントであって、
前記下桟に着脱自在に取り付けられ、前記下桟と一体となって回転する取付部と、
回転する前記取付部に対し空転するように、当該取付部に取り付けられた本体部と、
前記本体部に設けられ、前記昇降コードにおける前記吊下げ部が挿通される挿通部と、
を含み、
前記吊下げ部の前記下桟の長手方向への振れを規制することを特徴とするアタッチメント。
【請求項１０】
前記本体部は、前記取付部に取り付けられた端部から、前記吊下げ部に対応する位置まで延出された延出部を有し、
前記挿通部が前記延出部に設けられていることを特徴とする請求項９に記載のアタッチメント。
【請求項１１】
前記延出部において前記挿通部が設定されている設定部位が、前記下桟よりも上方に在る状態を維持する維持手段を有することを特徴とする請求項１０に記載のアタッチメント。
【請求項１２】
前記維持手段は、前記ブラインド本体を間に挟んで前記延出部の前記設定部位の存する側とは反対側に在って、前記延出部に連結され、前記スクリーン本体の片面に当接する当接部材を有することを特徴とする請求項１１に記載のアタッチメント。
【請求項１３】
前記当接部材は、前記片面に対し、上下方向に転動するローラであることを特徴とする請求項１２に記載のアタッチメント。
【請求項１４】
前記当接部材と前記設定部位とが接近する方向に付勢する付勢部材によって、前記当接部と前記延出部とが連結されていることを特徴とする請求項１２または１３に記載のアタッチメント。
【請求項１５】
前記下桟に巻回された前記スクリーン本体部分の径方向における、設定部位の前記下桟からの距離を調整し得る伸縮部が前記延出部に設けられていることを特徴とする請求項１１〜１４のいずれか１項に記載のアタッチメント。
【請求項１６】
前記下桟の長手方向における前記設定部位の位置を、装着する前記ブラインドにおける前記吊下げ部の位置に調整し得る伸縮部が前記延出部に設けられていることを特徴とする請求項１１〜１５のいずれか１項に記載のアタッチメント。
【発明の詳細な説明】
【技術分野】
【０００１】
本発明は、ロールスクリーン、すだれその他のブラインドに関し、特に、ブラインド本体を昇降コードによって巻き上げるいわゆるロールアップ式のブラインドおよびこれに用いるアタッチメントに関する。
【背景技術】
【０００２】
上桟と下桟との間に設けられたブラインド本体を、昇降コードの一部を引き下げることにより、前記下桟に巻き付けて巻き上げるロールアップ式のブラインドの一種であるロールスクリーンは、簡易な構成ながら、日差しを遮ったり、いわゆる目隠しをしたりする範囲を変更できるため、一般的に広く用いられている。
【０００３】
従来のロールスクリーン４００における、スクリーン本体４０２を巻き上げる機構の一例について、図２０（ａ）、図２０（ｂ）、図２０（ｃ）を参照しながら説明する。
【０００４】
ロールスクリーン４００は、図２０（ａ）に示すように、窓枠（不図示）などに水平に設置される上桟４０４に、方形をしたスクリーン本体４０２の一端縁部が固定され、他端縁部が下桟４０６に固定された構成を有している。
【０００５】
上桟４０４の両端部寄りの位置には、それぞれ、第１ブラケット４０８および第２ブラケット４１０が固定されている。
【０００６】
第１ブラケット４０８には第１滑車４１２が、第２ブラケット４１０には第２滑車４１４がそれぞれ設けられている。第２ブラケット４１０には、さらに、昇降コード４１６の走行を規制するための係止爪４１８が設けられている。
【０００７】
昇降コード４１６の一端は、スクリーン本体４０２の裏面（背面）側に在る第１ブラケット４０８部分に固定されている。昇降コード４１６は、前記一端を起点として、スクリーン本体４０２の裏面側から表（おもて）面側に引き出された後、第１滑車４１２と第２滑車４１４に掛け渡されている。第２滑車４１４に掛けられた昇降コード４１６は、折返されて、再び、第２滑車４１４に掛けられた後、スクリーン本体４０２の表（おもて）面側から裏面側へと引き回され、他端がスクリーン本体４０２の裏面側に在る第２ブラケット４１０部分に固定されている。
【０００８】
上記の構成からなるロールスクリーン４００の昇降コード４１６における、第２滑車４１４から前記折り返されたところまでの部分（以下、昇降コードにおける「リード部４１６Ｃ」と称する。）を把持して引き下げると、昇降コード４１６の前記一端から第１滑車４１２に至る部分（以下、昇降コード４１６における「第１吊下げ部４１６Ａ」と称する。）および昇降コード４１６の第２滑車４１４から前記他端に至る部分（以下、昇降コード４１６における「第２吊下げ部４１６Ｂ」と称する。）の長さが徐々に短縮される。この短縮に伴い、スクリーン本体４０２は、下桟４０６に巻回される格好で、上方へと巻き上げられる。
【０００９】
所望の高さまで巻き上げた状態で、リード部４１６Ｃを係止爪４１８に引っ掛け、係止爪４１８と第２滑車４１４とで挟持させることにより、リード部４１６Ｃの逆戻りが規制される。これにより、スクリーン本体４０２の巻き上げられた部分（以下、「巻上部」と称する。）が、第１吊下げ部４１６Ａと第２吊下げ部４１６Ｂとで吊り下げられる形で、図２０（ｂ）、（ｃ）に示すように巻き上げた状態が維持される。
【先行技術文献】
【特許文献】
【００１０】
【特許文献１】実公昭４４−１９３０７号公報
【特許文献２】実開昭５１−３００１９号公報
【特許文献３】実開昭５０−１４７７１２号公報
【発明の概要】
【発明が解決しようとする課題】
【００１１】
ところで、上記従来のロールスクリーン４００では、例えば、強い風が吹くと、スクリーン本体４０２の巻上部が風にあおられて少し持ち上がり、第１吊下げ部４１６Ａと第２吊下げ部４１６Ｂにかかる巻上部の重みが軽くなる瞬間がある。この場合、同じく風にあおられた第１吊下げ部４１６Ａと第２吊下げ部４１６Ｂの一方または両方が、スクリーン本体４０２から外れてしまうといった事態が生じる。
【００１２】
両方が外れると、スクリーン本体４０２の巻上部は、自重により元に戻り、全長に渡って垂れ下がってしまう。この場合、巻き上げられた元の状態に復旧させるには、手作業でスクリーン本体４０２を元の高さまで巻き上げた後、第１吊下げ部４１６Ａおよび第２吊下げ部４１６Ｂをスクリーン本体４０２に掛け直すといった作業を強いられる。
【００１３】
一方が外れると、巻上部の長手方向における、外れた吊下げ部側寄りの端部側の巻上が少し巻き戻って、巻上部が当該外れた吊下げ部側に斜めに下がってしまう。この場合、元の状態に復旧させるためには、下がった方の巻上部側を少し巻き上げ直した後、外れた吊下げ部をスクリーン本体４０２に掛け直すといった作業を強いられる。
【００１４】
また、スクリーン本体から外れた吊下げ部が複雑にからまって、一般ユーザにとって復旧が困難な場合がある。外れた吊下げ部が複雑にからまってしまうのは、スクリーン本体が巻き上げられた状態のみならず、巻き上げられていない状態において、下桟から吊下げ部が外れた場合にも生じ得る。
【００１５】
なお、上記した問題は、第１吊下げ部と第２吊下げ部の２箇所で、スクリーン本体を巻き上げるタイプのロールスクリーンのみならず、単一の吊下げ部でスクリーン本体を巻き上げるタイプのロールスクリーンにおいても生じ得る。
【００１６】
さらに、ロールスクリーンに限らず、ロールアップ式を採用した他のブラインド、例えばすだれにおいても上記した問題は生じ得る。
【００１７】
本発明は、上記した課題に鑑み、昇降コードにおける吊下げ部が下桟や巻き上げられたブラインド本体から外れるのを可能な限り防止することができるブラインドおよびブラインドに装着されるアタッチメントを提供することを目的とする。
【課題を解決するための手段】
【００１８】
上記の目的を達成するため、本発明に係るブラインドは、方形をしたブラインド本体と、前記ブラインド本体に、その上縁に沿って設けられた上桟と、前記ブラインド本体に、その下縁に沿って設けられた下桟と、前記上桟に取り付けられた一端部から前記ブラインド本体の一方の面側を下り、前記下桟の下方を経由して、前記ブラインド本体の他方の面側において上記上桟に設けられた懸架部材に掛けられた昇降コードと、を有し、前記昇降コードにおいて、前記懸架部材から引き出されたリード部が引っ張られることにより、前記一端部から前記懸架部材に至る吊下げ部が短縮されて、当該吊下げ部によって前記下桟が回転されながら吊り上げられ、当該下桟にブラインド本体が巻回されて巻き上げられるロールアップ式のブラインドであって、前記下桟の前記回転に対し空転するように当該下桟に取り付けられた本体部と、前記本体部に設けられ、前記昇降コードにおける前記吊下げ部が挿通された挿通部と、を含み、前記吊下げ部の前記下桟の長手方向への振れを規制する規制手段を備えたことを特徴とする。
【００１９】
また、前記本体部は、前記下桟の一端部に取り付けられた端部から、前記吊下げ部に対応する位置まで延出された延出部を有し、前記挿通部が前記延出部に設けられていることを特徴とする。
【００２０】
さらに、前記延出部において前記挿通部が設定されている設定部位が、前記下桟よりも上方に在る状態を維持する維持手段を有することを特徴とする。
【００２１】
さらに、また、前記維持手段は、前記ブラインド本体を間に挟んで前記延出部の前記設定部位の存する側とは反対側に在って、前記延出部に連結され、前記スクリーン本体の片面に当接する当接部材を有することを特徴とする。
【００２２】
また、前記当接部材は、前記片面に対し、上下方向に転動するローラであることを特徴とする。
【００２３】
さらに、前記当接部材と前記設定部位とが接近する方向に付勢する付勢部材によって、前記当接部と前記延出部とが連結されていることを特徴とする。
【００２４】
また、前記下桟に巻回された前記スクリーン本体部分の径方向における、前記設定部位の前記下桟からの距離を調整し得る伸縮部が前記延出部に設けられていることを特徴とする。
【００２５】
また、前記リード部の端部が、前記本体部に取着されていることを特徴とする。
【００２６】
上記の目的を達成するため、本発明に係るアタッチメントは、方形をしたブラインド本体と、前記ブラインド本体に、その上縁に沿って設けられた上桟と、前記ブラインド本体に、その下縁に沿って設けられた下桟と、前記上桟に取り付けられた一端部から前記ブラインド本体の一方の面側を下り、前記下桟の下方を経由して、前記ブラインド本体の他方の面側において上記上桟に設けられた懸架部材に掛けられた昇降コードと、を有し、前記昇降コードにおいて、前記懸架部材から引き出されたリード部が引っ張られることにより、前記一端部から前記懸架部材に至る吊下げ部が短縮されて、当該吊下げ部によって前記下桟が回転されながら吊り上げられ、当該下桟にブラインド本体が巻回されて巻き上げられるロールアップ式のブラインドに装着されるアタッチメントであって、前記下桟に着脱自在に取り付けられ、前記下桟と一体となって回転する取付部と、回転する前記取付部に対し空転するように、当該取付部に取り付けられた本体部と、前記本体部に設けられ、前記昇降コードにおける前記吊下げ部が挿通される挿通部と、を含み、前記吊下げ部の前記下桟の長手方向への振れを規制することを特徴とする。
【００２７】
また、前記本体部は、前記取付部に取り付けられた端部から、前記吊下げ部に対応する位置まで延出された延出部を有し、前記挿通部が前記延出部に設けられていることを特徴とする。
【００２８】
さらに、前記延出部において前記挿通部が設定されている設定部位が、前記下桟よりも上方に在る状態を維持する維持手段を有することを特徴とする。
【００２９】
また、さらに、前記維持手段は、前記ブラインド本体を間に挟んで前記延出部の前記設定部位の存する側とは反対側に在って、前記延出部に連結され、前記スクリーン本体の片面に当接する当接部材を有することを特徴とする。
【００３０】
また、前記当接部材は、前記片面に対し、上下方向に転動するローラであることを特徴とする。
【００３１】
さらに、前記当接部材と前記設定部位とが接近する方向に付勢する付勢部材によって、前記当接部と前記延出部とが連結されていることを特徴とする。
【００３２】
また、前記下桟に巻回された前記スクリーン本体部分の径方向における、設定部位の前記下桟からの距離を調整し得る伸縮部が前記延出部に設けられていることを特徴とする。
【００３３】
また、前記下桟の長手方向における前記設定部位の位置を、装着する前記ブラインドにおける前記吊下げ部の位置に調整し得る伸縮部が前記延出部に設けられていることを特徴とする。
【発明の効果】
【００３４】
上記の構成からなるロールスクリーンによれば、回転されながら吊上げられる下桟に対し空転するように取り付けられた本体部に設けられた挿通部に昇降コードの吊下げ部が挿通されているので、前記吊下げ部の前記下桟の長手方向への振れが前記挿通部によって規制されるため、前記下桟や当該下桟に巻回されたスクリーン本体から前記吊下げ部が外れるのを可能な限り防止することができる。
【００３５】
また、上記の構成からなるアタッチメントによれば、回転されながら吊上げられる下桟に対し着脱自在に取り付けられ、前記下桟と一体となって回転する取付部を有し、回転する前記取付部に対し、空転するように取り付けられた本体部に設けられた挿通部に昇降コードの吊下げ部が挿通されるので、前記吊下げ部の前記下桟の長手方向への振れが前記挿通部によって規制されるため、前記下桟や当該下桟に巻回されたスクリーン本体から前記吊下げ部が外れるのを可能な限り防止することができる。
【図面の簡単な説明】
【００３６】
【図１】（ａ）は、実施形態１に係るロールスクリーンの概略構成を示す正面図、（ｂ）は、当該ロールスクリーンのスクリーン本体を巻き上げた状態を示す正面図、（ｃ）は（ｂ）の左側面図をそれぞれ示している。
【図２】（ａ）は、実施形態２に係るロールスクリーンの概略構成を示す正面図、（ｂ）は、当該ロールスクリーンのスクリーン本体を巻き上げた状態を示す正面図、（ｃ）は（ｂ）の左側面図をそれぞれ示している。
【図３】実施形態２に係るロールスクリーンにおける第１規制手段の、下桟への取付態様を説明するための断面図である。
【図４】（ａ）、（ｂ）は、実施形態２におけるバーの下桟への取付構造の変形例を示す図であり、（ｃ）は、挿通部材のバーへの取付構造の変形例を示す図である。
【図５】昇降コードのストッパを上桟以外に設ける構成とした変形例に係るロールスクリーンの概略構成を示す正面図である。
【図６】（ａ）は、実施形態３に係るロールスクリーンの概略構成を示す正面図、（ｂ）は、当該ロールスクリーンのスクリーン本体を巻き上げた状態を示す正面図、（ｃ）は、昇降コードに設けたつまみの一部断面図、（ｄ）は、第２規制手段６４のバー６６に設けたフックの、（ｂ）における右側面図である。
【図７】（ａ）は、実施形態４に係るロールスクリーンの一部を示す斜視図、（ｂ）は実施形態４の変形例に係るロールスクリーンの一部を示す斜視図をそれぞれ示している。
【図８】実施形態５に係るロールスクリーンの一部を示す斜視図である。
【図９】（ａ）は、実施形態６に係るロールスクリーンの一部を示す斜視図であり、（ｂ）は（ａ）におけるＡ−Ａ線断面図である。
【図１０】実施形態６に係るロールスクリーンの動作を説明するための模式図である。
【図１１】従来既存のロールスクリーンにおける下桟の形状を説明するための斜視図である。
【図１２】実施形態７に係るアタッチメントの分解斜視図である。
【図１３】上記アタッチメントを構成する外挿部材の、（ａ）は正面図、（ｂ）は平面図、（ｃ）は左側面図、（ｄ）は右側面図、（ｅ）は縦断面図をそれぞれ示している。
【図１４】上記アタッチメントがロールスクリーンに装着された状態を示す斜視図である。
【図１５】実施形態８に係るアタッチメントがロールスクリーンに装着された状態を示す斜視図である。
【図１６】（ａ）は実施形態９に係るロールスクリーンの概略構成を示す正面図、（ｂ）は（ａ）の右側面図、（ｃ）は前記ロールスクリーンのスクリーン本体を巻き上げた状態を示す正面図、（ｄ）は（ｃ）の右側面図をそれぞれ示している。
【図１７】実施形態９に係るロールスクリーンを構成する連結部材の、（ａ）は変形例１に係る連結部材であるリング部材の斜視図を、（ｂ）は変形例２に係る連結部材の平面図をそれぞれ示している。
【図１８】（ａ）は実施形態１０に係るロールスクリーンの一部を示す斜視図であり、（ｂ）は当該ロールスクリーンにおける規制手段の一端部側の一部断面図である。
【図１９】バーの一部を伸縮自在とするための構成の一例を示す図であり、（ａ）は平面図を、（ｂ）は（ａ）におけるＧ−Ｇ線断面図をそれぞれ示している。
【図２０】（ａ）は、従来技術に係るロールスクリーンの概略構成を示す正面図、（ｂ）は、当該ロールスクリーンのスクリーン本体を巻き上げた状態を示す正面図、（ｃ）は（ｂ）の左側面図をそれぞれ示している。
【発明を実施するための形態】
【００３７】
以下、本発明に係るブラインドの実施形態について、ロールスクリーンを例に、図面を参照しながら説明する。
＜実施形態１＞
実施形態１に係るロールスクリーン１０は、図１（ａ）に示すように、方形をした布地からなるブラインド本体であるスクリーン本体１２を有する。
【００３８】
スクリーン本体１２には、その上縁に沿って棒材（本例では、角材）からなる上桟１４が、下縁に沿って棒材（本例では、丸棒）からなる下桟１６が、それぞれ設けられている。
【００３９】
上桟１４の長手方向における中央部には、金属板を板金加工してなるブラケット１８が固定されており、ブラケット１８には、ロールスクリーン１０を窓枠（不図示）などに取り付けるための（吊り下げるための）吊り金具２０が設けられている。なお、吊り金具２０は、ブラケット１８とは別体で、上桟１４の両端部寄りの２箇所に上桟１４に直接取り付けることとしても構わない。
【００４０】
ブラケット１８は、スクリーン本体１２の裏面（背面）側に、図１（ｃ）に示すように、後述する昇降コード３０の一端部を固定するための、コード固定部１８Ａを有する。コード固定部１８Ａは、前記金属板の短冊状をした一部が板金加工により筒状に丸められてなる部分である。当該筒状部分に昇降コード３０の一端部を結び付けることによって、当該一端部がコード固定部１８Ａに固定されて、上桟１４に取り付けられることとなる。
【００４１】
ブラケット１８は、スクリーン本体１２の表（おもて）面（前面）側に、前記短冊状よりも大きな短冊状をした前記金属板の一部が、「コ」字状に屈曲されてなる滑車支持部１８Ｂを有する。
【００４２】
滑車支持部１８Ｂには、ピン２２によって懸架部材である滑車２４が回転自在に軸支されている。
【００４３】
滑車支持部１８Ｂには、さらに、ピン２６によって係止爪２８が揺動自在に軸支されている。係止爪２８は、略三角形状をした金属片の一側面に、鋸歯状の切り込みが形成されてなるものである。以下、この切り込みが形成された一側面を「鋸歯状部２８Ａ」と称することとする。係止爪２８は、揺動により鋸歯状部２８Ａが滑車２４の側面と対向することとなるような位置にピン２６によって軸支されている。
【００４４】
ロールスクリーン１０は、また、スクリーン本体１２を図１（ｂ）、図１（ｃ）に示すように巻き上げたり、巻き上げたスクリーン本体１２を図１（ａ）に示すように、元に戻したりするための昇降コード３０を有する。
【００４５】
昇降コード３０の一端部は、上記したようにして、上桟１４に取り付けられている。昇降コード３０は、前記一端部からスクリーン本体１２の裏面側を下り、図１（ａ）に示すように、下桟１６の下方を経由し、スクリーン本体１２の表（おもて）面側を通って、ブラケット１８に設けられた滑車２４に掛けられ、滑車２４から引き出されている。滑車２４から引き出された昇降コード３０の他端部には、つまみ３２が取り付けられている。
【００４６】
ここで、昇降コード３０の全長の内、コード固定部１８Ａから滑車２４に至る部分を「吊下げ部３０Ａ」と称し、滑車２４からつまみ３２に至る部分を「リード部３０Ｃ」と称することとする。なお、後述するように、昇降コード３０の全長に占める吊下げ部３０Ａとリード部３０Ｃの範囲（長さ）は、伸縮し得る。
【００４７】
ロールスクリーン１０は、また、吊下げ部３０Ａの下桟１６の長手方向への振れを規制する規制手段３４を備えている。前記振れを規制することにより、昇降コード３０の吊下げ部３０Ａが、下桟１６から、下桟１６の長手方向外側へ外れないようになっている。換言すると、規制手段３４は、昇降コード３０の吊下げ部３０Ａが、下桟１６から下桟１６の長手方向外側へ外れないように規制する規制手段として機能する。
【００４８】
規制手段３４は、一本の棒材（本例では、「丸棒」）の両端部部分が「コ」字状に屈曲されてなるバー３６を有する。規制手段３４の本体部であるバー３６は、アルミニウムなどの金属や合成樹脂で形成されている。
【００４９】
下桟１６の両端部部分には、バー３６の外径よりも大きな内径を有する取付穴１６Ａ，１６Ｂが開設されており、バー３６は、その両端部３６Ａ，３６Ｂの各々が取付穴１６Ａ，１６Ｂに挿入されて、下桟１６に取り付けられている。換言すると、バー３６は、下桟１６の一端部（取付穴１６Ａ）に取り付けられた端部３６Ａから、下桟１６の他端部（取付穴１６Ｂ）側へ延出され、延出端である端部３６Ｂが下桟１６の他端部（取付穴１６Ｂ）に取り付けられていると言える。端部３６Ａから延出されて端部３６Ｂに至るバー３６の内、下桟１６の全長に渡って平行な部分を「平行部３６Ｃ」と称することとする。
【００５０】
バー３６は、例えば、その両端部部分を、その両端面間の直線距離が下桟１６の全長よりも長くなるように弾性変形させた状態で、当該両端部３６Ａ，３６Ｂの各々を取付穴１６Ａ,１６Ｂに合わせて、復元させることにより、当該両端部３６Ａ、３６Ｂの各々を取付穴１６Ａ,１６Ｂに挿入することにより、下桟１６に取り付けられる。
【００５１】
これにより、バー３６は、その両端部３６Ａ，３６Ｂが下桟１６に対し、その軸心を中心とした回転自在に取り付けられることとなる。
【００５２】
規制手段３４は、また、昇降コード３０の吊下げ部３０Ａが挿通される挿通部材３８を有する。挿通部材３８は、小リング部３８Ａと大リング部３８Ｂとが、図１に示すように、相対的に90度捻られてなる構成を有し、例えば、ステンレスなどからなる針金が曲げ加工されてなるものである。
【００５３】
小リング部３８Ａが、バー３６に外挿されて、挿通部材３８は、バー３６の平行部３６Ｃに取り付けられている。小リング部３８Ａの内径は、バー３６の外径よりも大きくなっていて、挿通部材３８全体が、バー３６の平行部３６Ｃに揺動自在となっている。
【００５４】
大リング部３８Ｂには、吊下げ部３０Ａが挿通されている。
【００５５】
また、バー３６の平行部３６Ｃにおいて、挿通部材３８における小リング部３８Ａの両側には、挿通部材３８のバー３６の軸心方向（下桟１６の長手方向）への移動を規制し、挿通部材３８を平行部３６Ｃの中央部（設定部位）に留めるための、一対の移動防止部材４０が設けられている。移動防止部材４０は、例えば、合成ゴムからなり、中央に貫通孔を有するドーナツ状をした円板状をしていて、前記貫通孔にバー３６が圧入されて、移動防止部材４０は、平行部３６Ｃに取り付けられている。移動防止部材４０は、前記貫通孔の内壁とバー３６の外周面との間の摩擦力によって、バー３６に固定されている。
【００５６】
上記の構成からなるロールスクリーン１０において、片手でつまみ３２を持って、昇降コード３０のリード部３０Ｃを引き下げると（リード部３０Ｃが引っ張られると）、それまで、若干、弛緩していた吊下げ部３０Ａが緊張し、引き下げによりリード部３０Ｃが長くなる分、吊下げ部３０Ａが短くなることにより（吊下げ部３０Ａが短縮されて）、バー３６の平行部３６Ｃが挿通部材３８を介して引上げられ、下桟１６の取付穴１６Ａ，１６Ｂに挿入された両端部３６Ａ，３６Ｂが回動すると共に、下桟１６の吊り上げが開始される。このとき、リード部３０Ｃは、下桟１６に対し、相対的に、紙面に垂直な方向において奥側から手前側に走行することとなるため、下桟１６は、当該走行するリード部３０Ｃによって回転される（転がされる）。これにより、スクリーン本体１２の下桟１６への巻回が開始される。下桟１６にスクリーン本体１２が少し巻回されると、それ以降は、前記走行する吊下げ部３０Ａが直接スクリーン本体１２の裏面に接触することによって、さらに、スクリーン本体１２が下桟１６を回転軸として巻回されていく。
【００５７】
このとき、下桟１６の回転に対し、バー３６の、下桟１６の取付穴１６Ａ，１６Ｂに挿入された両端部３６Ａ，３６Ｂは空転する（相対的に回転する）。すなわち、バー３６は下桟１６の回転に対し空転するように下桟１６に取り付けられているため、バー３６は、スクリーン本体１２に巻き込まれることなく、そのまま、下桟１６と共に上昇する。
【００５８】
所望の高さまでの巻上が完了した後、リード部３０Ｃを紙面に向かって右斜め上に振って、リード部３０Ｃの一部を係止爪２８の鋸歯状部２８Ａに接触させた状態で、引っ張っていた（引き下げていた）リード部３０Ｃを少し戻すことにより、係止爪２８をピン２６の軸心を中心として時計方向に回動させる。これにより、図１（ｂ）に示すように、リード部３０Ｃの一部が、滑車２４と鋸歯状部２８Ａとによって挟持されることとなり、リード部３０Ｃがそれ以上滑車２４側へ引っ張られることが規制されて、スクリーン本体１２の巻上状態が維持される。
【００５９】
すなわち、滑車２４と係止爪２８とは、スクリーン本体１２の巻上状態を維持するため、リード部３０Ｃが滑車２４側へ引き戻されることを規制するストッパ２９として機能する。
【００６０】
この巻上状態において、スクリーン本体１２（および、下桟１６）を吊り下げている吊下げ部３０Ａは、規制手段３４の挿通部材３８によって、下桟１６の長手方向への振れが規制されるため、例えば、強い風が吹いて、スクリーン本体１２の巻き上げられた部分が風にあおられて少し持ち上がって、吊下げ部３０Ａにかかる巻上部分の重みが瞬間的に軽くなり、同じく吊下げ部３０Ａが風にあおられたとしても、吊下げ部３０Ａが（巻き上げられた）スクリーン本体１２から外れてしまうといった事態を可能な限り防止することができる。
【００６１】
また、巻上が解除された図１（ａ）に示すような状態においても、吊下げ部３０Ａが、下桟１６からその長さ方向へ外れてしまうことがないのは、上記と同様である。
＜実施形態２＞
実施形態１に係るロールスクリーン１０は、下桟１６の長さ方向中央部（スクリーン本体１２の幅方向中央部）にて、１条の吊下げ部３０Ａによってスクリーン本体１２を巻き上げたが、実施形態２に係るロールスクリーン５０は、２条の吊下げ部によってスクリーン本体１２を巻き上げるものである。なお、実施形態２に係るロールスクリーン５０において、図１に示した実施形態１に係るロールスクリーン１０と実質的に同じ構成部材には、同じ符号を付して、その説明については省略するか、簡単に言及するに止める。
【００６２】
図２（ａ）に示すように、ロールスクリーン５０は、方形をした布地等からなるブラインド本体であるスクリーン本体１２を有し、スクリーン本体１２には、その上縁に沿って棒材（本例では、角材）からなる上桟１４が、下縁に沿って棒材（本例では、中空丸棒）からなる下桟５２が、それぞれ設けられている。
【００６３】
上桟１４の長手方向における両端部寄りの位置には、それぞれブラケット１８およびブラケット５４が固定されている。
【００６４】
ブラケット５４は、係止爪２８が設けられない点を除いて、基本的にブラケット１８と同様の構成を有している。すなわち、ブラケット５４は、金属板を板金加工してなるものであり、スクリーン本体１２の裏面側に、図２（ｃ）に示すように、コード固定部５４Ａを有する。
【００６５】
また、ブラケット５４は、スクリーン本体１２の表面側に、滑車支持部５４Ｂを有していて、滑車支持部５４Ｂには、ピン５６によって懸架部材である滑車５８が回転自在に軸支されている。
【００６６】
さらに、ブラケット５４には、ロールスクリーン５０を窓枠（不図示）などに取り付けるための（吊り下げるための）吊り金具２０が設けられている。
【００６７】
昇降コード６０は、一本のコードからなり、その一端部は、ブラケット５４のコード固定部５４Ａに固定されて、上桟１４に取り付けられている。昇降コード６０は、前記一端部からスクリーン本体１２の裏面側を下がり、図２（ａ）に示すように、下桟５２の下方近傍で上方へ折り返され、ブラケット５４に設けられた懸架部材である滑車５８に掛けられ、滑車５８から引き出されている。
【００６８】
滑車５８から引き出された昇降コード６０は、ブラケット１８に設けられた滑車２４と係止爪２８の間を挿通された後、スクリーン本体１２の表（おもて）面側を下方へ下がり、下桟５２の近傍で上方へ折り返される。上方へ折り返された昇降コード６０は、再度、滑車２４と係止爪２８の間を挿通された後、下方へ下がり、下桟５２の下方近傍でスクリーン本体１２の裏面側上方へ折り返される。折り返された昇降コード６０の端部はブラケット１８のコード固定部１８Ａ（図２には、現れていない）に固定されて、上桟１４に取り付けられている。
【００６９】
ここで、昇降コード６０の全長の内、コード固定部５４Ａから滑車５８に至る部分を「第１吊下げ部６０Ａ」と称し、ブラケット１８のコード固定部１８Ａ（図２では、現れていない）から滑車２４に至る部分を「第２吊下げ部６０Ｂ」と称することとする。このように、ロールスクリーン５０は、第１および第２吊下げ部６０Ａ,６０Ｂの２条の吊下げ部を有する。
【００７０】
ここで、また、昇降コード６０において、滑車５８から引き出されて滑車２４に至る部分およびブラケット１８に設けられた滑車２４と係止爪２８の間から垂れ下がっている部分を「リード部６０Ｃ」と称することとする。また、リード部６０Ｃの内、滑車２４と係止爪２８の間から垂れ下がっている部分を「操作部６０Ｄ」と称することとする。
【００７１】
なお、ロールスクリーン５０においても、ロールスクリーン１０（図１）と同様、昇降コード６０の操作に伴って、第１および第２吊下げ部６０Ａ,６０Ｂとリード部６０Ｃの範囲（長さ）は、伸縮し得る。
【００７２】
ロールスクリーン５０も、昇降コード６０の第１吊下げ部６０Ａおよび第２吊下げ部６０Ｂの下桟５２の長手方向への振れを規制することにより、第１吊下げ部６０Ａおよび第２吊下げ部６０Ｂが、下桟５２から、下桟５２の長手方向外側へ外れないようにそれぞれ規制する第１規制手段６２および第２規制手段６４を備えている。
【００７３】
第１および第２規制手段６２，６４は、下桟５２へ取り付ける向きが異なるだけで、同じ構成を有しているため、第１規制手段６２を代表に説明し、第２規制手段６４の構成部材には、第１規制手段６２と同じ符号を付して、その説明については省略する。また、第１および第２規制手段６２，６４は、実施形態１の規制手段３４（図１）とは、バーの形状および下桟への取付態様が異なる以外は、基本的には同じ構成をしている。よって、第１および第２規制手段６２，６４において、規制手段３４と同じ構成部材には同じ符号を付し、必要に応じて言及するに止める。
【００７４】
図２および図３を参照しながら、第１規制手段６２について説明する。
【００７５】
第１規制手段６２は、一本の棒材（本例では、「丸棒」）が「コ」字状に屈曲されてなる、本体部であるバー６６を有する。
【００７６】
バー６６の一端部部分には、挿通部材３８が設けられており、挿通部材３８の両側には、一対の移動防止部材４０が取り付けられている。ここで、バー６６において、挿通部材３８が設けられているストレート部分（設定部位）を「第１ストレート部６６Ａ」と、第１ストレート部６６Ａと平行なストレート部を「第２ストレート部６６Ｂ」（図３）と、第１ストレート部６６Ａと第２ストレート部６６Ｂをつなげている中間部分を「連接部６６Ｃ」と、それぞれ称することとする。なお、連接部６６Ｃは、以下の説明から理解できるように、スクリーン本体１２が最大に巻き上げられた状態における当該巻上部の少なくとも半径の長さを有するように構成されている。
【００７７】
バー６６は、下桟５２の一端部に第２ストレート部６６Ｂが取り付けられていて、第２ストレート部６６Ｂから、下桟５２の他端部側へ、連接部６６Ｃおよび第１ストレート部６６Ａが延出された構成となっている。
【００７８】
バー６６の、第２ストレート部６６Ｂにおける、下桟５２への取り付け構造について、図３を参照しながら説明する。図３に示すように、下桟５２の中空部５２Ａには、フッ素樹脂などの合成樹脂からなるスリーブ６８が圧入されている。スリーブ６８の中空部６８Ａには、バー６６の第２ストレート部６６Ｂが遊挿されていて、スリーブ６８から突出した周面には、周方向に溝６６Ｄが形成されている。溝６６Ｄには、バー６６が、スリーブ６８、ひいては下桟５２から抜けないようにするための抜け止めとして、Ｅ型止め輪７０が嵌め込まれている。
【００７９】
上記の構成によりバー６６は、第２ストレート部６６Ｂが下桟５２に対し、その軸心を中心とした回転自在に取り付けられていることとなる。
【００８０】
図２に戻り、第１規制手段６２の挿通部材３８における大リング部３８Ｂには、第１吊下げ部６０Ａが挿通され、第２規制手段６４の挿通部材３８における大リング部３８Ｂには、第２吊下げ部６０Ｂが挿通されている。
【００８１】
上記の構成からなるロールスクリーン５０において、昇降コード６０のリード部６０Ｃ（操作部６０Ｄ）の引き下げを開始してから、スクリーン本体１２が巻き上がり、巻き上がった状態がストッパ２９によって維持されるまでの動作は、実施形態１のロールスクリーン１０と同様なので、その説明については省略する。
【００８２】
また、上記一連の動作において、第１および第２規制手段６２，６４のバー６６は、スリーブ６８に遊挿された第２ストレート部６６Ｂが回動して、図２（ｂ）、図２（ｃ）に示すように第１ストレート部６６Ａが持ち上がり、そのまま、巻き上げられるスクリーン本体１２（下桟５２）と共に上昇するのも、実施形態１と同様である。
【００８３】
ロールスクリーン５０によれば、ロールスクリーン１０（図１）と同様、昇降コード６０の第１および第２吊下げ部６０Ａ,６０Ｂが（巻き上げられた）スクリーン本体１２から外れてしまうといった事態や、巻上が解除された図２（ａ）に示す状態においても、第１および第２吊下げ部６０Ａ,６０Ｂが、下桟５２からその長手方向へ外れてしまうといった事態を可能な限り防止できる。
【００８４】
なお、第１規制手段６２を構成するバー６６における第２ストレート部６６Ｂ（図３）と第２規制手段６４を構成するバー６６における第２ストレート部６６Ｂとは、一体的につながっていても構わない。すなわち、下桟５２の中空部５２Ａ（図３）の全長を貫通したバー材の両端部を「Ｌ」字状に屈曲させて、連接部６６Ｃと第１ストレート部６６Ａとを形成させることとしても構わない。この場合に、下桟５２への取り付けを考慮して、中空部５２Ａを貫通するバー部分は、その途中を連結構造としても構わない。
（変形例）
（１）上記実施形態２では、下桟５２の中空部５２Ａに圧入したスリーブ６８を介して、バー６６を下桟５２に取り付けたが、バーの下桟への取付構造はこれに限らず、例えば、以下のようにしても構わない。
【００８５】
（i）図４（ａ）に示すように、下桟７２の端部に取付穴７２Ａを開設する。取付穴７２Ａにころがり軸受７４の外輪を圧入する。そして、バー７６の端部７６Ａをころがり軸受７４の内輪に圧入する。これにより、バー７６は、端部７６Ａが下桟７２に対し、その軸心を中心とした回転自在に取り付けられることとなる。
【００８６】
（ii）また、図４（ｂ）に示すように、バー７８の端部を円筒状に形成する。この円筒部７８Ａの内周側にころがり軸受８０の外輪を圧入する。そして、下桟８２をころがり軸受８０の内輪に圧入する。これにより、バー７８は、その端部である円筒部７８Ａが、下桟８２に対し、その軸心を中心とした回転自在に取り付けられることとなる。
【００８７】
（２）上記実施形態１，２では、挿通部材３８のバーの軸心方向への移動を一対の移動防止部材４０（図１、図２）によって規制したが、これに限らず、以下のようにしても構わない。
【００８８】
図４（ｃ）に示すように、バー８４にその周方向に溝８４Ｃを形成する。そして、挿通部材３８の小リング部３８Ａを溝８４Ｃに嵌めて、挿通部材３８をバー８４に取り付ける。なお、小リング部３８Ａはその内径が、バー８４の溝８４Ｃ底部以外の外径よりも小さくなるように形成されている。
【００８９】
これにより、小リング部３８Ａのバー８４の軸心方向への移動が、溝８４Ｃの側壁によって規制されることとなり、ひいては、挿通部材３８の前記軸心方向への移動が規制されることとなる。
【００９０】
（３）上記実施形態１，２では、ストッパ２９を上桟１４に取り付けたが、これに限らず、ストッパは、上桟１４（スクリーン本体１２）から離れたところに取り付ける構成としても構わない。
【００９１】
そのような構成にしたロールスクリーン８５について、図５を参照しながら説明する。なお、図５において、図２に示したロールスクリーン５０の構成要素と実質的に同じものについては、同じ符号を付して、その説明は省略するか、必要に応じて言及するに止める。
【００９２】
ロールスクリーン８５において、ストッパ２９は、上桟１４（スクリーン本体１２）から離れた、例えば、柱（不図示）などに設けられる。ストッパ２９が設けられたブラケット８６は、ブラケット１８（図１、図２）とは、形状が若干異なるだけである。ブラケット８６は、ビスなどによって前記柱などに取り付けられる。
【００９３】
ロールスクリーン８５では、ロールスクリーン５０におけるブラケット１８に代わって、ブラケット８７が上桟１４に取り付けられている。
【００９４】
ブラケット８７は、コード固定部５４Ａ（図２（ｃ））を有しない点を除いて、ブラケット５４（図２）と略同様の構成を有している。
【００９５】
ブラケット８７も金属板を板金加工してなるものであり、スクリーン本体１２の表面側に、滑車支持部８７Ｂを有していて、滑車支持部８７Ｂには、ピン８８によって滑車８９が回転自在に軸支されている。なお、ブラケット８７は、スクリーン本体１２の裏面側において、昇降コード６０の端部を固定するためのコード固定部（図５に現れていない）を有している。
【００９６】
昇降コード６０の一端部は、ブラケット５４のコード固定部５４Ａに固定されており、他端部は、ブラケット８７の前記コード固定部に固定されている。昇降コード６０の両端部から滑車８９に至る経路は、図２に示したロールスクリーン５０における滑車２４に至る経路と同様である。
【００９７】
滑車８９から引き出された昇降コード６０は、ブラケット８６に設けられた滑車２４と係止爪２８の間を挿通された後、下方へ垂れ下がっている。
ここで、昇降コード６０において、滑車５８から滑車８９に至る部分、滑車８９から滑車２４に至る部分、および滑車８９からブラケット８６の下方に垂れ下がった部分をリード部６０Ｃとする。また、リード部６０Ｃの内、滑車８９からブラケット８６の下方に垂れ下がった部分を操作部６０Ｄとする。
【００９８】
上記の構成からなるロールスクリーン８５において、昇降コード６０のリード部６０Ｃ（操作部６０Ｄ）の引き下げを開始してから、スクリーン本体１２が巻き上がり、ストッパ２９によって巻き上がった状態が維持されるまでの動作は、ロールスクリーン５０（図２）と同じく、実施形態１のロールスクリーン１０と同様なので、その説明については省略する。
【００９９】
なお、ストッパ２９を上桟１４以外の（すなわち、ロールスクリーンを構成する部材以外の）構造物に取り付ける構成としても構わないのは、これ以降に説明する実施形態４〜９においても同様である。
＜実施形態３＞
実施形態３に係るロールスクリーン９０は、昇降コードにおける操作部が、とりとめもなく垂れ下がるのを防止するための工夫がなされている。当該工夫のための構成を有する点以外、ロールスクリーン９０は、実質的に実施形態２のロールスクリーン５０（図２）と同様の構成である。よって、ロールスクリーン９０において、ロールスクリーン５０と同様の構成部材には同じ符号を付して、その説明については省略するか簡単に言及するに止め、以下、異なる部分を中心に説明する。
【０１００】
実施形態２のロールスクリーン５０において、昇降コード６０の操作部６０Ｄを引き下げて、スクリーン本体１２を最上部まで巻き上げると、操作部６０Ｄは、最長の長さとなる。例えば、スクリーン本体１２の長さが２ｍで、スクリーン本体１２が巻き上げられていない状態における操作部６０Ｄの長さが２ｍのものにあっては、スクリーン本体を最上部まで巻き上げると、操作部６０Ｄの長さは、６ｍ弱となる。このように長くなった操作部６０Ｄが、そのまま、とりとめもなく垂れ下がってしまわないようにする工夫が、実施形態３のロールスクリーン９０においてなされている。
【０１０１】
ロールスクリーン９０は、図６に示すように、操作部６０Ｄ（リード部６０Ｃ）の先端部分につまみ９２が設けられている。
【０１０２】
つまみ９２は、角柱状をし、合成樹脂で形成されている。つまみ９２の一端面に開設された穴（不図示）に操作部６０Ｄの先端部分が植設され、当該先端部分が接着剤によってつまみ９２に固着されている。つまみ９２の、操作部６０Ｄが取り付けられている面とは反対側の面には、横断面が半円よりも少し大きな円弧状をした溝９２Ａが形成されている。横断面における溝９２Ａの半径は、第２規制手段６４のバー６６の外径の半分よりも僅かに短く設定されている。
【０１０３】
つまみ９２は、第２規制手段６４におけるバー６６の第１ストレート部６６Ａに溝９２Ａが嵌め込まれて取り付けられている。つまみ９２は、溝９２Ａをバー６６に押付けることによって、溝９２Ａをその幅方向に弾性的に拡開させることにより取付けることができる。
【０１０４】
上記の構成からなるロールスクリーン９０によれば、昇降コード６０の操作部６０Ｄを引き下げて、スクリーン本体１２を巻き上げると、これに伴って、バー６６も上昇するため、バー６６に取り付けられたつまみ９２、ひいては、操作部６０Ｄ（リード部６０Ｃ）の先端部も上昇する。
【０１０５】
したがって、操作部６０Ｄ（リード部６０Ｃ）は、そのまま垂れ下がることはなく、ブラケット１８からつまみ９２に至る途中で折り返される。すなわち、操作部６０Ｄは、二つ折りの状態となる。よって、スクリーン本体１２を、例えば、最上部まで巻き上げたとしても、操作部６０Ｄがとりとめもなくそのまま垂れ下がっている状態よりも、外観上、整然とした感覚を得ることができる。
【０１０６】
実施形態３に係るロールスクリーン９０では、二つ折りとなった操作部６０Ｄをさらに折り返して、四つ折りの状態とする工夫がなされている。
【０１０７】
ロールスクリーン９０の第２規制手段６４におけるバー６６の第１ストレート部６６Ａには、フック９４が設けられている。フック９４は、「Ｌ」字状に屈曲された棒材の一端部が、バー６６に接合されてなるものである。フック９４は、スクリーン本体１２が巻き上がった状態で、すなわち、図６（ｂ）、図６（ｄ）に示すように、第２規制手段６４のバー６６が持ち上がった状態で、図６（ｄ）に示すように、前記「Ｌ」字の屈曲部が下方へ突出する向きとなるように、バー６６に接合されている。
【０１０８】
このように設けられたフック９４に、二つ折りとなった操作部６０Ｄの折返し部分を引っ掛けることにより、操作部６０Ｄを四つ折りとすることができる。これにより、操作部６０Ｄが垂れ下がる長さをさらに短縮することが可能となる。
＜実施形態４＞
上記実施形態２では、図２（ａ）に示すような、スクリーン本体１２が巻き上げられていない状態（以下、「非巻上げ状態」と言う。）においては、下桟５２よりもバー６６（図２（ａ））の第１ストレート部６６Ａ（挿通部材３８の設定部位）が下方に位置している。
【０１０９】
このため、ロールスクリーン５０が、例えば、いわゆる掃き出し窓に設けられた場合、非巻上げ状態において、下桟５２は床近傍に位置するため、バー６６の一部（第１ストレート部６６Ａ）は、当該床に当接してしまう。よって、ロールスクリーン５０を巻上げ状態から、昇降コード６０を操作して、勢いよくスクリーン本体１２を巻き戻した場合、バー６６の一部（挿通部材３８の設定部位）が前記床に衝突して、当該床を傷つけるおそれがある。
【０１１０】
そこで、実施形態４に係るロールスクリーン１００（図７）では、勢いよくスクリーン本体１２を巻き戻して、非巻上げ状態とした場合であっても、バーによって床に傷が付くのを可能な限り防止することができる手段が設けられている。
【０１１１】
当該手段を有する以外、実施形態４に係るロールスクリーン１００は、実施形態２に係るロールスクリーン５０と基本的に同様の構成である。よって、ロールスクリーン１００において、ロールスクリーン５０（図２）と同様の構成部分には、同じ符号を付し、必要に応じて言及するに止める。
【０１１２】
図７（ａ）に示すように、ロールスクリーン１００の第１規制手段６２におけるバー６６には、バックアップバー１０２が設けられている。
【０１１３】
バックアップバー１０２は、棒材（本例では、丸棒）が「Ｌ」字状に屈曲されてなるものであり、その一端がバー６６に接合されて、バー６６に連結されている。「Ｌ」字状をしたバックアップバー１０２において、長い方のストレート部を「長軸部１０２Ａ」と称し、短い方にストレート部を「短軸部１０２Ｂ」と称することとする。
【０１１４】
バックアップバー１０２は、長軸部１０２Ａがバー６６の第１ストレート部６６Ａと平行となり、かつ長軸部１０２Ａと第１ストレート部６６Ａとの間にスクリーン本体１２の一部が介在するように、短軸部１０２Ｂの端部が、バー６６の連接部６６Ｃに接合されている。
【０１１５】
上記の構成によれば、バー６６の第２ストレート部６６Ｂ（図７（ａ）では現れていない。）が下桟５２に対して相対的に回転し、第２ストレート部６６Ａが下方へ下がろうとしても、バックアップバー１０２の長軸部１０２Ａがスクリーン本体１２の片面（本例では、裏面）に当接して、第２ストレート部６６Ａの移動を規制し、図７（ａ）に示す状態が維持される。換言すると、バー６６は、バックアップバー１０２によって、常に、下桟５２の下部（下桟５２の外周面の最下部）よりも上方に在る状態が維持されることとなる。すなわち、バックアップバー１０２は、長軸部１０２Ａが当接部材としてスクリーン本体１２の片面に当接し、バー６６の第１ストレート部６６Ａ（挿通部材３８の設定部位）を、常に、下桟５２よりも上方に在る状態を維持する維持手段として機能する。
【０１１６】
これにより、ロールスクリーン１００を巻き戻して、非巻上げ状態としたとしても、バー６６が、床などに当接することが防止できる。
【０１１７】
なお、上記の例では、スクリーン本体１２の表（おもて）面側に、バー６６の第１ストレート部６６Ａが、スクリーン本体１２の裏面側に、バックアップバー１０２の長軸部１０２Ａが存するように構成したが、これに限らず、これとは反対の配置関係となるように構成しても構わない。
【０１１８】
すなわち、スクリーン本体１２の裏面側に、挿通部材３８が設けられた第１ストレート部６６Ａが、スクリーンの表面側に、バックアップバー１０２の長軸部１０２Ａが存するような配置関係となる構成としても構わない。
【０１１９】
なお、実施形態４のロールスクリーン１００において、バックアップバー１０２は、第２規制手段６４（図２）のバー６６にも設けられている（不図示）。
【０１２０】
また、バックアップバー１０２は、実施形態１のロールスクリーン１０のバー３６や実施形態３のロールスクリーン９０のバー６６に設けても構わない。
（変形例）
上記実施形態のロールスクリーン１００では、スクリーン本体１２の巻き戻し中は、バックアップバー１０２の長軸部１０２Ａがスクリーン本体１２の片面（本例では、裏面）に摺接状態で下降するため、長軸部１０２Ａがスクリーン本体１２から受ける摩擦抵抗（すべり摩擦）によって、スムーズな巻き戻し（下桟５２の下降）が阻害されるおそれがある。
【０１２１】
そこで、前記摩擦抵抗を軽減して、スムーズな巻き戻しを実現するため、図７（ｂ）に示すように、変形例に係るロールスクリーン１０１では、バックアップバー１０２の長軸部１０２Ａに、ローラとしてのスリーブ１０４を外挿することとした。
【０１２２】
スリーブ１０４の内径は長軸部１０２Ａの外径よりも少し大きく設定されており、スリーブ１０４は長軸部１０２Ａの軸心を中心として回転自在となっている。なお、長軸部１０２Ａの端部は、少し変形されており、これによりスリーブ１０４の長軸部１０２Ａからの抜け止め部１０２Ｃが形成されている。本例においては、スリーブ１０４がスクリーン本体１２の片面に当接する当接部材となる。
【０１２３】
上記の構成により、スクリーン本体１２が巻き戻されるときは、スリーブ１０４が回転し、スリーブ１０４がスクリーン本体１２から受ける抵抗は転がり摩擦抵抗となるため、長軸部１０２Ａがスクリーン本体１２に直接接触する場合のすべり摩擦抵抗よりも小さくなる。よって、摩擦抵抗が軽減されて、スムーズな巻き戻しが実現される。
＜実施形態５＞
ここまで説明した実施形態では、規制手段の本体部を棒材（バー３６，６６）で構成したが、実施形態５に係るロールスクリーン１１０（図８）では、板材で構成している。
【０１２４】
図８に示すように、ロールスクリーン１１０の規制手段１１２は、図７（ａ）に示した実施形態４に係るものと同様のタイプである。
【０１２５】
規制手段１１２は、ステンレスなどの金属板が板金加工されてなる本体部１１４を有する。
【０１２６】
本体部１１４は、略逆三角形状をし、下桟５２へ取り付けられる取付部１１４Ａと、その上辺の両側から互いに平行に延設された第１短冊状部１１４Ｂ、第２短冊状部１１４Ｃを有する。第１短冊状部１１４Ｂの端部部分は略円筒形に丸められて筒状部１１４Ｄを成している。筒状部１１４Ｄには、フッ素樹脂などからなる円筒形をした挿通部材１１６が嵌入されており、挿通部材１１６には、昇降コード６０の第１吊下げ部６０Ａが挿通されている。
【０１２７】
取付部１１４Ａは、ピン１１８を介して下桟５２に軸心まわりに揺動自在に取付けられている。
【０１２８】
ピン１１８は、取付部１１４Ａに開設された貫通孔に、その一端部部分が圧入されており、残余の部分が図３に示した第２ストレート部６６Ｂと同様にして、下桟５２に回転自在に取り付けられている。
【０１２９】
第１短冊状部１１４Ｂは図７（ａ）に示した第１ストレート部６６Ａに、第２短冊状部１１４Ｃは長軸部１０２Ａに、挿通部材１１６は挿通部材３８の大リング部３８Ｂに、それぞれ相当し、実施形態５に係る規制手段１１２による効果は、実施形態２に係る規制手段６２と同様なので、その説明については省略する。
【０１３０】
なお、上記の例では、本体部１１４を金属板により形成したが、これに限らず、合成樹脂板で形成しても構わない。
＜実施形態６＞
実施形態４では、バー６６において挿通部材３８が設けられた第１ストレート部６６Ａ（挿通部材３８の設定部位）とバックアップバーの長軸部１０２Ａ（当接部材）の間隔は常に一定であった。また、実施形態５においても第１短冊状部１１４Ｂ（挿通部材１１６の設定部位）と第２短冊状部１１４Ｃ（当接部材）との間隔は常に一定であった。
【０１３１】
これに対し、実施形態６では、スクリーン本体１２の巻上げ高さ（巻上げ量）に応じて、挿通部材の設定部位と当接部材との間隔が変化する構成となっている。
【０１３２】
実施形態６に係るロールスクリーン１２０は、図９（ａ）に示すように、規制手段１２２とバックアップ手段１２４を有している。
【０１３３】
規制手段１２２は、下桟１２６の径方向に延びる細長い短冊板１２８と短冊板１２８の端部部分に接合されたバー１３０とからなる本体部１３２を有する。
【０１３４】
バー１３０は、下桟１２６と平行に設けられている。バー１３０の先端には、リング部１３４Ａを有する挿通部材１３４が、バー１３０の軸心を中心として矢印Ｂの方向に回転自在に取り付けられている。リング部１３４Ａには、昇降コード６０の吊下げ部６０Ａが挿通されている。なお、リング部１３４Ａは、図示したような円形に限らず、下桟１２６の長手方向に長い長円形をしていても構わない。
【０１３５】
バックアップ手段１２４も、下桟１２６の径方向に延びる細長い短冊板１３６と短冊板１３６の端部部分に接合されたバー１３８とを有する。バー１３８は、下桟１２６と平行に設けられている。バー１３８には、バー１３８の軸心を中心とし、バー１３８に対して矢印Ｃの方向に回転自在に２個のローラ１４０が取り付けられている。
【０１３６】
短冊板１２８と短冊板１３６とは、その一端部部分において、取付部材１４２によって下桟１２６に取り付けられている。
【０１３７】
図９（ａ）、図９（ｂ）に示すように、取付部材１４２は、円板部１４２Ａの中心にピン１４２Ｂが立設されてなるものである。短冊板１２８と短冊板１３６の端部部分には、ピン１４２Ｂの外径よりも若干大きな内径を有する貫通孔１２８Ａ，１３６Ａがそれぞれ開設されている。
【０１３８】
また、下桟１２６の端部には、図９（ｂ）に示すように、穴１２６Ａが開設されている。
【０１３９】
貫通孔１２８Ａ，１３６Ａに挿入（遊挿）されたピン１４２Ｂが穴１２６Ａに圧入されて、短冊板１２８と短冊板１３６とが下桟１２６に回転自在に取り付けられている。
【０１４０】
下桟１２６の軸心方向（長手方向）から視て、「Ｖ」字状に開いた短冊板１２８と短冊板１３６とは、付勢手段であるねじりコイルばね１４４で連結されている。
【０１４１】
ねじりコイルばね１４４は、短冊板１２８と短冊板１３６とに、前記「Ｖ」字が閉じる向きに、すなわち、規制手段１２２において挿通部材１３４が設定されているバー１３０と当接部材であるローラ１４０とが接近する向きに、付勢力を及ぼすものである。なお、この付勢力は、ローラ１４０と挿通部材１３４のリング部１３４Ａとが、スクリーン本体１２の対応する側の面に同時に当接するほど強いものではなく、ローラ１４０がスクリーン本体１２の片面に当接した状態で、規制手段１２２の自重を支えて、リング部１３４Ａがスクリーン本体１２から離間し、図９（ａ）に示すように、短冊板１２８と短冊板１３６とが「Ｖ」字を成す程度に開いた状態が維持される程度の強さである。
【０１４２】
上記の構成を有するロールスクリーン１２０の動作について、図１０を参照しながら説明する。なお、ロールスクリーン１２０は、規制手段１２２等が異なる以外は、実施形態２に係るロールスクリーン５０（図２）と同様の構成なので、図１０において図２における構成要素と同じものについては、同じ符号を付すこととする。なお、図１０において、ねじりコイルばね１４４の図示は省略している。
【０１４３】
図１０（ａ）はスクリーン本体１２が全く巻き上げられていない状態を、図１０（ｃ）はスクリーン本体１２がほぼ最上部まで巻き上げられた状態を、図１０（ｂ）は図１０（ａ）から図１０（ｃ）に至る間の一状態を、それぞれ示している。なお、図１０において、巻き上げられたスクリーン本体１２の巻上部１２Ｒは、単に円で表している。
【０１４４】
図１０（ａ）に示す状態から、スクリーン本体１２の巻上げが進むと、巻上部１２Ｒの直径は徐々に増大し、図１０（ｃ）に示す状態でほぼ最大となる。
【０１４５】
巻上部１２Ｒの直径が大きくなると、昇降コード６０における吊上げ部６０Ａの巻上部１２Ｒへの係始めの位置Ｓと係終わりの位置Ｅとの間の距離が増大する。この増大する距離に応じて、短冊板１２８と短冊板１３６の成す角度が大きくなる（前記Ｖ字が開く）ようになっている。
【０１４６】
巻上部１２Ｒの直径は、巻上げ量（下桟への巻き回数）が同じでも、スクリーン本体１２の生地の厚みなどによって異なる。すなわち、同じ巻上量とした場合、薄い生地よりも厚い生地の方が巻上部１２Ｒの直径は大きくなる。
【０１４７】
この場合に、短冊板１２８と短冊板１３６とが仮に固定されているとすると、生地の厚み等に応じて（すなわち、巻上部１２Ｒの最大となる場合の直径に応じて）、短冊板１２８と短冊板１３６の長さの異なるものを準備しなければならず、不便である。これに対し、本実施形態によれば、上記のように、巻上部１２Ｒの直径に応じて、短冊板１２８と短冊板１３６の成す角度が増減するため、上記の不便が解消される。
【０１４８】
なお、本実施形態６において、バックアップ手段１２４とねじりコイルばね１４４とは、挿通部材１３４（リング部１３４Ａ）が設けられているバー１３０（設定部位）が、下桟１２６よりも上方に在る状態を維持する維持手段として機能する。
【０１４９】
また、当接部材であるローラ１４０とバー１３０とが接近する方向に付勢する付勢部材は、ねじりコイルばね１４４に限らず、例えば、短冊板１２８と短冊板１３６の下桟１２６とは反対側の端部間に掛け渡した引っ張りコイルばね（不図示）を用いても構わない。
＜実施形態７＞
上記実施形態１〜６では、昇降コードがスクリーン本体から外れないようにする規制手段が下桟に一体的に取り付けられているが、実施形態７では、規制手段を、従来既存のロールスクリーンの下桟に着脱自在なアタッチメント１６０（図１２、図１３、図１４）として構成することとした。
【０１５０】
図１１（ａ）、（ｂ）、（ｃ）に示すように、従来既存のロールスクリーンのスクリーン本体３０２に取り付けられた下桟３０４，３０６，３０８は、いずれも棒状をしているが、その横断面形状は、方形（図１１（ａ））、円形（図１１（ｂ））、長円形（図１１（ｃ））など種々である。
【０１５１】
実施形態７に係るアタッチメント１６０は、これらの下桟３０４，３０６，３０８に装着できるように構成されている。
【０１５２】
アタッチメント１６０は、図１２に示すように、全体的に円筒形をし、下桟に外挿状態で取り付けられる取付部である外挿部材１６２、昇降コードの吊下げ部が挿通されるリング部１６４Ｅを有し、外挿部材１６２に組付けられる本体部である挿通部材１６４、挿通部材１６４を外挿部材１６２に組み付けるための組付部材１６６を有する。
【０１５３】
外挿部材１６２は、図１３に示すように、全体的に有底円筒の形をしている。外挿部材１６２は、合成樹脂で形成されている。
【０１５４】
前記円筒の軸心方向と平行に、スリット１６２Ａが開設されている。
【０１５５】
また、前記円筒の外周面において、径方向に対向する位置には、「コ」字状のスリットが開設されていて、これにより、短冊状をした一対の弾性片１６２Ｂ，１６２Ｃが創設されている。弾性片１６２Ｂ，１６２Ｃの各々は、内側に（互いに相手側に向かって）弓なりに湾曲されている。弾性片１６２Ｂと弾性片１６２Ｃの前記径方向における最短距離は、下桟３０４，３０６，３０８のいずれの幅よりも短く設定されている。
【０１５６】
また、前記有底円筒の外底の中心には、穴１６２Ｄが開設されている。
【０１５７】
図１２に戻り、挿通部材１６４は、中心に貫通孔１６４Ｂを有する円板部１６４Ａの外周から「Ｖ」字状に第１帯状部１６４Ｃと第２帯状部１６４Ｄとが延出されてなる構成を有する。挿通部材１６４も合成樹脂で形成されている。
【０１５８】
第１帯状部１６４Ｃと第２帯状部１６４Ｄとは、長さ方向における中央において、直角に屈曲されている。
【０１５９】
第１帯状部１６４Ｃの先端には、挿通部であるリング部１６４Ｅが設けられている。リング部１６４Ｅは、その周方向の１箇所で切断されており、切断部１６４Ｆの両側のリング部１６４Ｅ部分を弾性的に開くことにより切断部１６４Ｆが拡開される。なお、リング部１６４Ｅは、図示したような円形に限らず、下桟３０６（図１４）の長手方向に長い長円形をしていても構わない。
【０１６０】
組付部材１６６は、円板部１６６Ａの中心にピン１６６Ｂが立設されてなる。ピン１６６Ｂの外径は、貫通孔１６４Ｂの内径よりも若干小さく、穴１６２Ｄの内径よりも若干大きく設定されている。
【０１６１】
アタッチメント１６０は、組付部材１６６のピン１６６Ｂを挿通部材１６４の円板部１６４Ａの貫通孔１６４Ｂに挿入（遊挿）した後、ピン１６６Ｂを外挿部材１６２の穴１６２Ｄに圧入することによって組み立てられる。
【０１６２】
組立状態において、挿通部材１６４は、外挿部材１６２および組付部材１６６に対し、ピン１６６Ｂの軸心まわりに回転自在となっている。
【０１６３】
図１４は、アタッチメント１６０が図１１（ｂ）に示す下桟３０６に装着された状態を示している。
【０１６４】
アタッチメント１６０は、図１４に示すように、スリット１６２Ａにスクリーン本体３０２が差し込まれるようにして、外挿部材１６２を下桟３０６に外挿することにより、ロールスクリーン（下桟３０６）に装着される。
【０１６５】
当該装着の後、リング部１６４Ｅの切断部１６４Ｆを拡開し、拡開された切断部１６４Ｆから昇降コード３１０の吊下げ部３１０Ａを挿通する。
【０１６６】
以上により、アタッチメント１６０のロールスクリーンへの取付けが完了する。
【０１６７】
ロールスクリーンのスクリーン本体３０２が巻き上げられる際、下桟３０６が回転し、下桟３０６に装着された外挿部材１６２もこれと一体となって回転するが、挿通部材１６４は外挿部材１６２に回転自在に取り付けられているため、挿通部材１６４は外挿部材１６２に対し空転するため、外挿部材１６２の第１および第２帯状部１６４Ｃ，１６４Ｄがスクリーン本体３０２に巻き込まれることはない。
【０１６８】
また、昇降コード３１０の吊下げ部３１０Ａがリング部１６４Ｅに挿通されているため、吊下げ部３１０Ａが巻上げ状態のスクリーン本体３０２から外れないのも、上記実施形態１〜６と同様である。
【０１６９】
なお、第２帯状部１６４Ｄは、実施形態４のバックアップバー１０２（図７）と同様に機能する。すなわち、挿通部材１６４が下桟３０６に対して相対的に回転し、第１帯状部１６４Ｃ（リング部１６４Ｅ）が下方へ下がろうとしても、第２帯状部１６４Ｄがスクリーン本体３０２の片面に当接して、第１帯状部１６４Ｃの移動を規制し、図１４に示す状態が維持される。すなわち、第２帯状部１６４Ｄは、第１帯状部１６４Ｃ（リング部１６４Ｅ）を、常に、下桟３０６よりも上方に在る状態を維持する維持手段として機能する。
【０１７０】
なお、上記の例では、スクリーン本体３０２の表（おもて）面側にリング部１６４Ｅが有り、表面側において吊下げ部３１０Ａをリング部１６４Ｅに挿通する構成としたが、これに限らず、第２帯状部１６４Ｄにリング部を設ける構成としても構わない。
【０１７１】
すなわち、スクリーン本体３０２の裏面側にリング部が有り、裏面側において吊下げ部３１０Ａがリング部に挿通される構成としても構わない。
【０１７２】
また、アタッチメント１６０において、挿通部材１６４および組付部材１６６に代えて、実施形態６のロールスクリーン１２０（図９）における本体部１３２（短冊板１２８、バー１３０）、挿通部材１３４、短冊板１３６、バー１３８、ローラ１４０、取付部材１４２、およびねじりコイルばね１４４を用いても構わない。
【０１７３】
すなわち、取付部材１４２のピン１４２Ｂを外挿部材１６２の穴１６２Ｄ（図１３）に圧入することにより、短冊板１２８、短冊板１３６を外挿部材１６２に取り付けることとしても構わない。
【０１７４】
なお、この場合には、挿通部材１３４におけるリング部１３４Ａに、リング部１６４Ｅ（図１４）と同様の切断部（切断部１６４Ｆ）を設けることとする。
＜実施形態８＞
実施形態８はアタッチメントの他の例であり、図１５を参照しながら説明する。
【０１７５】
実施形態８に係るアタッチメント１７０は、実施形態７に係るアタッチメント１６０（図１４）の一部と実施形態４の変形例に係るロールスクリーン１０１（図７（ｂ））の一部との組合せからなる。よって、図１５において、図７（ｂ）および図１４に示した構成要素と実質的に同じものについては、同じ符号を付し、必要に応じて言及するに止める。
【０１７６】
アタッチメント１７０では、外挿部材１６２に対し、円板部材１７４が、組付部材１６６によって回転自在に取り付けられている。円板部材１７４は、アタッチメント１６０（図１４）における円板部１６４Ａ（図１２）に対応するものであり、円板部１６４Ａよりも厚みを大きくしたものである。
【０１７７】
バー１７２は、ロールスクリーン１０１のバー６６の第２ストレート部６６Ｂ（図３）を切除した形態のものである。
【０１７８】
図１５に示すように、バー１７２における連接部６６Ｃの端部が円板部材１７４の外周に開設された穴（不図示）に圧入されて、バー１７２が円板部材１７４に取り付けられている。
【０１７９】
上記のように構成されたアタッチメント１７０における効果は、実施形態４の変形例や実施形態７と同様なので、その説明については省略する。
＜実施形態９＞
上記実施形態では、規制手段を下桟に取り付ける構成としたが、実施形態９では、規制手段を下桟に設けることなく、簡易な構成で効果的に昇降コードにおける吊下げ部の外れを可能な限り防止することしている。
【０１８０】
実施形態９に係るロールスクリーン２００について、図１６を参照しながら説明する。
【０１８１】
実施形態９のロールスクリーン２００は、規制手段が異なる以外は、基本的に実施形態２のロールスクリーン５０（図２）と同様の構成をしている。よって、図１６において、図２に示したロールスクリーン５０と同様の構成要素については、図２と同じ符号を付して、その説明については省略するか、必要に応じて言及するに止め、以下、異なる部分を中心に説明する。なお、ロールスクリーン５０における下桟５２（図２）は、横断面が円形をした棒材からなっており、ロールスクリーン２００の下桟２０２は、横断面が長円形をした棒材からなっているが、このことは、発明の本質とは無関係である。
【０１８２】
ロールスクリーン２００における規制手段２０４は、昇降コード６０の第１吊下げ部６０Ａと第２吊下げ部６０Ｂとを連結する連結部材である細長いリング部材２０６からなる。連結は、図１６（ａ）に示すように上下方向における下桟２０２と重複する位置または、下桟２０２の直下でなされる。リング部材２０６は、例えば、アルミニウムやステンレススチールなどの金属ワイヤーで形成されている。
【０１８３】
第１吊下げ部６０Ａと第２吊下げ部６０Ｂ間の下桟２０２の長手方向（スクリーン本体１２の幅方向）における間隔をＤ１とし、リング部材２０６の長手方向における内径をＤ２とすると、Ｄ２はＤ１よりも若干長めに設定されている。これは、以下の理由による。
【０１８４】
Ｄ２がＤ１よりも短いと、第１吊下げ部６０Ａと第２吊下げ部６０Ｂの間隔が下方に行くに従って狭まることとなるが、そうすると、スクリーン本体１２を巻き上げた際に、偏って巻かれる（竹の子のような形状に巻かれる）ことが認められるからある。
【０１８５】
また、Ｄ２がＤ１よりも相当に長いと、リング部材２０６が、下桟２０２の長手方向において片方にずれて偏った場合に、ロールスクリーン全体の重量バランスが悪くなるからである。
【０１８６】
なお、リング部材２０６は、金属ワイヤーに限らず、合成樹脂で形成しても構わないが、第１吊下げ部６０Ａと第２吊下げ部６０Ｂとの間に取り付けた状態（掛け渡した状態において）、自重によってほとんど撓まない程度の剛性を有するものとする。すなわち、自分自身でその形状がほぼ維持できる程度の剛性を有するものとする。「ほとんど撓まない」とは、撓みの程度が、平行に下がっている第１吊下げ部６０Ａと第２吊下げ部６０Ｂの下部同士が互いに近づく向きに引き寄せられて、第１吊下げ部６０Ａと第２吊下げ部６０Ｂの間隔Ｄ１が狭められることのない程度に抑えられることを言う。間隔Ｄ１が狭められると、上記したＤ２＜Ｄ１の場合と同様の問題が生じるからである。
【０１８７】
第１吊下げ部６０Ａと第２吊下げ部６０Ｂには、リング部材２０６の重量が掛かっている。また、スクリーン本体１２が巻き上げられていない状態（図１６（ａ）、（ｂ））では、通常、ストッパ２９は効いてない。よって、スクリーン本体１２が巻き上げられていないときに、リング部材２０６の自重によって、昇降コード６０における第１吊下げ部６０Ａおよび第２吊下げ部６０Ｂの下端（折返し部分）が、下桟２０２から大きくずり下がってしまうのを防止するためのストッパ部材２０８が昇降コード６０の操作部６０Ｄに取着されている。ストッパ部材２０８には、例えば、ビーズを用いることができる。昇降コード６０が二重（２条）になった操作部６０Ｄを挿入した際に、操作部６０Ｄが滑車２４側に引き込まれない程度の抵抗が生じる程の小さい内径を有するビーズを用いれば構わない。また、ビーズの外径は、当然のことながら、ブラケット１８の滑車支持部１８Ｂに当接して、滑車支持部１８Ｂを通過してしまわない大きさである。
【０１８８】
なお、ビーズと昇降コード６０とは、接着剤で固着することとしても構わない。また、ビーズに限らす、クリップなどで、操作部６０Ｄを挟んで、ストッパ部材としても構わない。
【０１８９】
ストッパ部材２０８により、スクリーン本体１２が巻き上げられていない状態において、操作部６０Ｄが滑車２４側に引き込まれるのが防止され、延いては、第１吊下げ部６０Ａおよび第２吊下げ部６０Ｂの下端（折返し部分）が、下桟２０２から大きくずり下がってしまうのを防止することができる。
【０１９０】
以上の構成からなるロールスクリーン２００において、昇降コード６０における操作部６０Ｄを引っ張り下げた際、リング部材２０６がスクリーン本体１２に巻き込まれることなく、図１６（ｃ）、図１６（ｄ）に示すように、スクリーン本体１２が巻き上げられることが認められている。
【０１９１】
上記の構成からなるロールスクリーン２００によれば、第１吊下げ部６０Ａと第２吊下げ部６０Ｂとを連結するリング部材２０６が、第１吊下げ部６０Ａと第２吊下げ部６０Ｂとを振れ難くする錘として機能するため、第１吊下げ部６０Ａと第２吊下げ部６０Ｂとが下桟２０２からその長手方向外方に外れてしまうのを可能な限り防止することができる。
【０１９２】
なお、リング部材２０６のような連結部材を用いるのではなく、第１吊下げ部６０Ａと第２吊下げ部６０Ｂとに個別に錘を垂下することも考えられるが、以下の理由から好ましくない。
【０１９３】
吊下げ部を振れ難くするためには、相当の重量を有する錘とする必要があり、一の吊下げ部に垂下する錘の体積も相当に大きなものとなって、大きな塊の錘が吊下げ部から垂れ下がることとなる。この場合に、例えば、ロールスクリーンを、例えば、いわゆる掃き出し窓に設けた場合、非巻上げ状態において、下桟は床近傍に位置するため、吊下げ部毎に垂下された錘（以下、「個別錘」と称する。）は、当該床に当接してしまう。よって、ロールスクリーンを巻上げ状態から、昇降コードを操作して、勢いよくスクリーン本体を巻き戻した場合、前記個別錘が前記床に衝突して、当該床を傷つけてしまうおそれがある。あるいは、スクリーン本体が巻き上げられていない状態において、前記個別錘は、床に当接しているため、スクリーン本体が風に吹かれるなどして揺れた場合に、当該個別錘が床に擦れて、床に擦過傷をつけてしまう虞がある。
【０１９４】
これに対し、ロールスクリーン２００では、第１吊下げ部６０Ａと第２吊下げ部６０Ｂとを連結するリング部材２０６とすることにより、第１吊下げ部６０Ａと第２吊下げ部６０Ｂとの間で、第１吊下げ部６０Ａと第２吊下げ部６０Ｂの振れを抑制するための必要な重量を稼ぐことができるため、錘としてのリング部材２０６を下桟２０２と床との間に収めてしまうことが可能となる。
【０１９５】
（i）以上説明したように、ブラインドの一例であるロールスクリーン２００は、
方形をしたブラインド本体であるスクリーン本体１２と、
スクリーン本体１２に、その上縁に沿って設けられた上桟１４と、
スクリーン本体１２に、その下縁に沿って設けられた下桟２０２と、
上桟１４の長手方向における一方の端部寄りの位置に取り付けられ、第１端部からスクリーン本体１２の第１面である裏面を下り、下桟２０２の下方を経由して、スクリーン本体１２の第２面である表（おもて）面側において上桟１４に取り付けられた第１懸架部材である滑車５８に掛けられると共に、上桟１４の他方の端部寄りの位置に取り付けられた第２端部からスクリーン本体１２の第１面である裏面を下り、下桟２０２の下方を経由して、スクリーン本体１２の第２面である表（おもて）面側において上桟１４に取り付けられた第２懸架部材である滑車２４に掛けられた昇降コード６０と、
を有し、
昇降コード６０において、滑車５８および滑車２４から引き出されたリード部６０Ｃが引っ張られることにより、前記第１端部から滑車５８に至る第１吊下げ部６０Ａおよび前記第２端部から滑車２４に至る第２吊下げ部６０Ｂが短縮されて、第１および第２吊下げ部６０Ａ，６０Ｂによって下桟２０２が回転されながら吊り上げられ、下桟２０２にスクリーン本体１２が巻回されて巻き上げられるロールアップ式のブラインドであるロールスクリーン２００であって、
昇降コード６０における第１吊下げ部６０Ａと第２吊下げ部６０Ｂとに挿通されて両吊下げ部６０Ａ，６０Ｂを連結する連結部材であるリング部材２０６を有することを特徴とする。
【０１９６】
上記（i）に記載されたロールスクリーン２００によれば、リング部材２０６が、第１吊下げ部６０Ａと第２吊下げ部６０Ｂとを振れ難くする錘として機能するため、第１吊下げ部６０Ａと第２吊下げ部６０Ｂとが下桟２０２からその長手方向外方に外れてしまうのを可能な限り防止することができる。
【０１９７】
（ii）また、（i）に記載されたロールスクリーン２００に対し、
昇降コード６０において、滑車５８から引き出されたリード部６０Ｃは、さらに滑車２４に掛けられて、滑車２４から引き出されており、滑車２４から引き出された２条のリード部が引っ張られることにより、第１および第２吊下げ部６０Ａ，６０Ｂが短縮され、
スクリーン本体１２が巻き上げられていない状態において、前記２条のリード部が滑車２４側に引き込まれるのを防止するストッパ部材２０８が前記２条のリード部に取着されていることを特徴としている。
【０１９８】
（iii）また、（ii）に記載されたロールスクリーン２００に対し、
滑車２４は、取付部材であるブラケット１８を介して上桟１４に取り付けられていて、
ストッパ部材２０８は、ブラケット１８に当接して、前記２条のリード部が滑車２４側に引き込まれるのを防止することを特徴としている。
【０１９９】
（iv）さらに、（i）〜（iii）のいずれかに記載されたロールスクリーン２００に対し、前記連結部材が、第１および第２吊下げ部６０Ａ，６０Ｂが挿通された、下桟２０２の長手方向に細長いリング状をしたリング部材２０６であることを特徴としている。
【０２００】
なお、第１吊下げ部６０Ａと第２吊下げ部６０Ｂとを連結する連結部材は、上記したリング部材２０６に限らない。要は、第１吊下げ部６０Ａと第２吊下げ部６０Ｂとが挿通されて、両吊下げ部６０Ａが連結され、下桟２０２に沿った細長い部材であれば構わないのであり、例えば、以下のような変形例が考えられる。
【０２０１】
（変形例１）
リング部材２０６は、横断面が円形をし、下桟２０２の長手方向に細長いリング状をしていたが、図１７（ａ）に示すように、横断面が方形をし、下桟２０２の長手方向に細長いリング状をしたリング部材２１０としても構わない。
【０２０２】
（変形例２）
リング部材２０６（図１６）、リング部材２１０（図１７（ａ））は、共に、一のリングに第１吊下げ部６０Ａと第２吊下げ部６０Ｂの両方を挿通することにより、両吊下げ部６０Ａ，６０Ｂを連結したがこれに限らず、図１７（ｂ）に示すような連結部材２１２としても構わない。
【０２０３】
すなわち、第１吊下げ部６０Ａが挿通される第１リング部材２１４と第２吊下げ部６０Ｂが挿通される第２リング部材２１６とを個別に設け、第１リング部材２１４と第２リング部材２１６とを、棒材２１８で連接した構成としても構わない。なお、第１リング部材２１４と第２リング部材２１６は、図１７（ｂ）に示すような円形に限らず、下桟２０２（棒材２１８）の長手方向に長い長円形をしていても構わない。
＜実施形態１０＞
実施形態９のロールスクリーン２００では、スクリーン本体１２の巻上げ及び巻戻し中は、リング部材２０６がスクリーン本体１２の片面（本例では、裏面）に摺接状態で上昇および下降をするため、リング部材２０６がスクリーン本体１２から受ける摩擦抵抗（すべり摩擦）によって、スムーズな巻上げ及び巻戻し（下桟５２の下降）が阻害されるおそれがある。また、スクリーン本体１２に、凹凸の大きなものを用いると、リング部材２０６が当該凹凸に引っ掛かってしまうおそれがある。
【０２０４】
そこで、実施形態１０では、前記摩擦抵抗を軽減すると共に、スクリーン本体１２に凹凸に在るものを用いたとしても、スムーズな巻上げ及び巻戻しが可能な限り実現できる構成としている。
【０２０５】
以下、図１８を参照しながら、実施形態１０に係るロールスクリーン２２０について説明する。なお、ロールスクリーン２２０は、実施形態９のロールスクリーン２００（図１６）とは、規制手段が異なる以外は、基本的に同じ構成を有しており、また、下桟については、実施形態２のロールスクリーン５０（図２）と同様のものを用いている。
【０２０６】
よって、図１８において、図２や図１６と実質的の同じ構成のものについては、同じ符号を付して、その説明を省略するか、簡単に言及するに止めることとする。
【０２０７】
ロールスクリーン２２０における規制手段２２２は、第１吊下げ部６０Ａと第２吊下げ部６０Ｂとを連結する連結部材として、第１吊下げ部６０Ａが挿通される第１挿通部材２２４と、第２吊下げ部６０Ｂが挿通される第２挿通部材２２６と、第１挿通部材２２４と第２挿通部材２２６とを連接するローラ部材２２８と、を有している。
【０２０８】
第１挿通部材２２４と第２挿通部材２２６とは、同じ構成を有しているので、第１挿通部材２２４を代表にして説明する。
【０２０９】
第１挿通部材２２４は、Ｕ字部材２３０と中央に貫通孔２３２Ａが開設された円板部材２３２とからなる。Ｕ字部材２３０は、その両端部が円板部材２３２に開設された一対の取付孔（符号不記入）に圧入されて、円板部材２３２に取り付けられている。
【０２１０】
ローラ部材２２８は、下桟５２に沿って配されており、長手方向に間隔を空けて複数の（本例では２個の）フランジ部２２８Ａ，２２８Ｂが設けられている。
【０２１１】
ローラ部材２２８の両端面には、取付穴２２８Ｃ（一方の取付穴２２８Ｃのみを図示）が開設されている。
【０２１２】
第１挿通部材２２４（第２挿通部材２２６も同様）は、取付部材２３４によってローラ部材２２８に取り付けられている。
【０２１３】
取付部材２３４は、円板部２３４Ａの中心にピン２３４Ｂが立設されてなるものである。
【０２１４】
円板部材２３２の貫通孔２３２Ａの内径は、ピン２３４Ｂの外径よりも若干大きめに設定されており、貫通孔２３２Ａに挿入（遊挿）されたピン２３４Ｂが取付穴２２８Ｃに圧入されて、円板部材２３２、ひいては第１挿通部材２２４全体がローラ部材２２８に回転自在に取り付けられている。
【０２１５】
上記の構成からなるロールスクリーン２２０によれば、スクリーン本体１２の巻上げおよび巻戻しの際には、ローラ部材２２８のフランジ部２２８Ａ，２２８Ｂの外周面がスクリーン本体１２の片面に当接し、当該片面に対し上下方向に転動する。
【０２１６】
これにより、規制手段２２２がスクリーン本体１２から受ける抵抗は転がり摩擦抵抗となるため、リング部材２０６（図１６）がスクリーン本体１２に接触する場合のすべり摩擦抵抗よりも小さくなる。よって、摩擦抵抗が軽減されて、スムーズな巻上げおよび巻戻しが実現される。また、スクリーン本体１２を凹凸の有るもので構成したとしても、フランジ部２２８Ａ，２２８Ｂの径を適宜、凹凸の程度に応じて設定することにより、凸部を乗り越え、凹部を跨ぐこととすることができるため、規制手段２２２の前記凹凸への引っ掛かりを可能な限り防止することができる。
【０２１７】
（v）以上説明したように、ロールスクリーン２２０は、上記（i）〜（iii）のいずれかに記載されたロールスクリーン２００に対し、第１吊下げ部６０Ａと第２吊下げ部６０Ｂとを連結する前記連結部材が、
第１吊下げ部６０Ａが挿通される第１挿通部である第１挿通部材２２４と、
第２吊下げ部６０Ｂが挿通される第２挿通部である第２挿通部材２２６と、
第１挿通部と第２挿通部とを連接するローラ部であるローラ部材２２８とを有し、
ローラ部材２２８が第１挿通部材２２４と第２挿通部材２２６とに対し、相対的に回転自在に設けられていて、ローラ部材２２８が、スクリーン本体１２の片面に対し、上下方向に転動することを特徴としている。
【０２１８】
以上、本発明を実施形態に基づいて説明してきたが、本発明は、上記した形態に限らないことは勿論であり、例えば、以下のような形態としても構わない。
【０２１９】
（１）本発明に係るブラインドは、スクリーン本体が布地（天然繊維または化学繊維からなる織布地、合成樹脂系素材からなる不織布地）からなるロールスクリーンに限らず、糸で竹やよしを編み連ねてなるブラインド本体であるすだれ本体を有するすだれ（簾）に適用しても構わない。
【０２２０】
要は、下桟に巻回可能な平面素材からなるブラインド本体を有する、ロールアップ式のブラインドに、本発明は適用できるのである。
【０２２１】
（２）実施形態２のロールスクリーン５０（図２）、実施形態２の変形例に係るロールスクリーン８５（図５）、実施形態３のロールスクリーン９０（図６）、実施形態４のロールスクリーン１００（図７（ａ））、実施形態４の変形例に係るロールスクリーン１０１（図７（ｂ））、および実施形態８に係るアタッチメント１７０（図１５）におけるバー６６、バー１７２の連接部６６Ｃを伸縮自在な構成としても構わない。
【０２２２】
既述したように、連接部６６Ｃは、スクリーン本体１２，３０２が最大に巻き上げられた状態における当該巻上部の少なくとも半径の長さを有するように構成されている。巻上部の最大半径（直径）は、スクリーン本体の長さ（上下方向における端縁間距離）や、上述した通り、スクリーン本体１２，３０２を構成する素材の厚みによって異なる。
【０２２３】
よって、スクリーン本体の長さや厚みによって、ロールスクリーン毎に異なる長さの連接部６６Ｃとする必要があるが、この部分を伸縮自在な構成としておくことにより、一の規制手段（連接部）で、スクリーン本体の長さや厚みの違いに対応することが可能となる。
【０２２４】
図１９を参照しながら、伸縮自在とするための機構（以下「伸縮機構」と言う。）の一例について説明する。
【０２２５】
伸縮機構１７６は、角パイプ１７８と角棒１８０を有する。
【０２２６】
角パイプ１７８には、長手方向に間隔を空けて（本例では、等間隔で）位置決め用の孔１８２Ａ，１８２Ｂ，１８２Ｃ，１８２Ｄ，１８２Ｅが複数個（本例では５個）開設されている。
【０２２７】
一方、角棒１８０には、ボールプランジャ１８４が取り付けられている。
【０２２８】
上記の構成において、角パイプ１７８に角棒１８０を挿入し、挿入深さを調整することにより上記連接部の長さを調整し得る。ボールプランジャ１８４のボール１８４Ａを所望の位置決め孔１８２Ａ，１８２Ｂ，１８２Ｃ，１８２Ｄ，１８２Ｅに嵌め込むことにより、調整した長さが固定できる。
【０２２９】
なお、伸縮機構は上記したものに限らず、例えば、ロッドアンテナの機構を採用しても構わない。
【０２３０】
また、上記の列記した実施形態以外の実施形態においての連接部６６Ｃに対応する部位を伸縮機構としても構わない。
【０２３１】
さらに、実施形態８のアタッチメント１７０（図１５）における、第１ストレート部６６Ａを伸縮機構とし、リング部１３４Ａの位置を、装着するロールスクリーンにおける吊下げ部６０Ａの位置に調整できるようにしても構わない。
【０２３２】
（３）上記実施形態では、昇降コードは、１本の紐で構成したが、これに限らず２本の紐で構成することとしても構わない。例えば、図６に示す実施形態３に係るロールスクリーン９０において、昇降コード６０が、つまみ９２に埋設された箇所で切断された構成としても構わない。すなわち、昇降コードは、２本の紐がつまみ９２によって連結された構成としても構わない。
【産業上の利用可能性】
【０２３３】
本発明に係るブラインドは、例えば、いわゆるロールアップ式のロールスクリーンやすだれに好適に利用可能である。
【符号の説明】
【０２３４】
１０，５０，９０，１１０，１０１，１２０    ロールスクリーン
１２    ブラインド本体
１４    上桟
１６，５２，１２６    下桟
３０，６０    昇降コード
３６，６６，７６，７８，８４    バー
３８，１１６    挿通部材
３０Ａ    吊下げ部
６０Ａ    第１吊下げ部
６０Ｂ    第２吊下げ部
１３０    第１昇降コード
１３０Ａ  吊下げ部
１３２    第２昇降コード
１３２Ａ  吊下げ部
１３４    第１挿通部材
１３６    第２挿通部材
１６０，１７０    アタッチメント
１６２    外挿部材
１６４    挿通部材
１６４Ｅ  リング部
【図１】
2015068029.tif 000003
【図２】
2015068029.tif 000004
【図３】
2015068029.tif 000005
【図４】
2015068029.tif 000006
【図５】
2015068029.tif 000007
【図６】
2015068029.tif 000008
【図７】
2015068029.tif 000009
【図８】
2015068029.tif 000010
【図９】
2015068029.tif 000011
【図１０】
2015068029.tif 000012
【図１１】
2015068029.tif 000013
【図１２】
2015068029.tif 000014
【図１３】
2015068029.tif 000015
【図１４】
2015068029.tif 000016
【図１５】
2015068029.tif 000017
【図１６】
2015068029.tif 000018
【図１７】
2015068029.tif 000019
【図１８】
2015068029.tif 000020
【図１９】
2015068029.tif 000021
【図２０】
2015068029.tif 000022